(57)【特許請求の範囲】
【請求項１】
透液性表面シートと不透液性裏面シートとの間に吸収体が介在された吸収性物品において、
前記吸収体は、下層吸収体と上層吸収体とから構成され、少なくとも排血口対応位置及びその近傍において、前記下層吸収体は、展開状態の横断面形状が略水平な底面と、底面の両側縁部から斜め外方に立ち上がる側面と、該側面の頂部から上面中央に形成された最薄部に向かう傾斜面によって略Ｖ字状の谷溝を有する断面形状を成し、前記上層吸収体は、展開状態の横断面形状が前記下層吸収体の上面に形成された略Ｖ字状の谷溝を埋めるように略逆三角形状の断面形状を成し、
前記上層吸収体の表面より前記下層吸収体の両側部に形成された頂部の方が高く形成され、身体への装着状態時に前記頂部が鼠径部を埋めるように身体に当接することを特徴とする吸収性物品。
【請求項２】
前記下層吸収体は、少なくとも排血口対応位置及びその近傍において、前記谷溝の最薄部に、長手方向に沿ってエンボスを付与してある請求項１記載の吸収性物品。
【請求項３】
前記下層吸収体は、少なくとも排血口対応位置及びその近傍であって、上層吸収体側縁よりも外側の前記頂部を含む吸収体部分において、高吸水性樹脂が他の領域よりも含有量が多くなるように偏在して混入されている請求項１〜２いずれかに記載の吸収性物品。
【請求項４】
前記下層吸収体の両側面及び底面の外側を覆うように、防水シートが配設されている請求項１〜３いずれかに記載の吸収性物品。
【請求項５】
前記下層吸収体の両側面を覆うように、先端部が外側に向けて延在する立体ギャザーが配設されている請求項１〜４いずれかに記載の吸収性物品。
【発明の詳細な説明】
【技術分野】
【０００１】
本発明は、経血やおりものなどを吸収するための生理用ナプキン、パンティライナー、失禁パッド等の吸収性物品に係り、詳しくは太もも付け根の鼠径部を吸収体によって埋めることにより、該鼠径部からの横漏れを確実に防止した吸収性物品に関する。
【背景技術】
【０００２】
従来より、生理用ナプキン、パンティライナー、おりものシート、失禁パッドなどの吸収性物品としては、ポリエチレンシートまたはポリエチレンラミネート不織布などからなる不透液性裏面シートと、不織布または透孔性プラスチックシートなどからなる透液性表面シートとの間に綿状パルプなどからなる吸収体を介在させたものが知られている。
【０００３】
この種の吸収性物品としては、装着状態で経血やおりもの等の体液の漏れを防止するため、排血口や排血口周辺の体型にフィットするように、表面に起立する立体ギャザーを配設したり、吸収体の側部に防漏壁を配設したり、吸収体表面にエンボスを施したりする対策が行われていた。具体的には、下記特許文献１では、着用者の排泄部付近に密着して、この付近に付着した体液を中高部へ誘導して吸収させることを目的として、吸収体が中高部を有しており、該中高部の両側縁に沿って、一対の前後方向に延びる防漏クッション堤が設けられた吸収性物品が開示されている。
【０００４】
また、下記特許文献２では、着用時に吸収体が肌側へ向かって隆起し、優れたフィット性を有するようにすることを目的として、吸収層における肌当接面側の長手方向両側部に一対の溝が設けられ、この一対の溝のそれぞれが、長手方向中央領域において幅方向外側に凸に湾曲するように形成された生理用ナプキンが開示されている。
【０００５】
さらに、下記特許文献３では、股下部における吸収性コアが、中央コアとその両側に配された側部コアとから構成されるとともに、中央コアと側部コアとの間に、屈曲補助部として機能する隙間が形成され、吸収性本体の両側部それぞれに、立ち上げ用の側部弾性部材を伸張状態で配設することにより、吸収性本体が股下部における両側部で起立するようになされた使い捨ておむつが開示されている。
【特許文献１】特開２００６−３４６３０５号公報
【特許文献２】特開２００６−３２５６３９号公報
【特許文献３】特開２００６−８１６５１号公報
【発明の開示】
【発明が解決しようとする課題】
【０００６】
しかしながら、上記特許文献１記載の吸収性物品では、一対の防漏クッション堤は、それぞれ疎水性を有するとともに、弾性及び圧縮変形性を兼ね備えており、その材質は発泡ウレタンから形成されるものであるため、あくまで壁としての役割しか有しておらず、体液を吸収する機能を有していないため、大量の体液が放出された場合、この防漏クッション堤を乗り越えて横漏れを生じ、鼠径部に滞留するおそれがあった。
【０００７】
また、上記特許文献２記載の生理用ナプキンでは、着用の際、着用者の両太ももの付け根内側により左右から幅方向内側へ圧縮力を受け、この圧縮力が前記一対の溝に伝わって隆起部全体が肌側へ向かって隆起するものであるため、両太ももの付け根内側からの圧縮力が確実に前記一対の溝に伝わって隆起部が形成されるようにするためには、生理用ナプキンの両側部を厚く形成し、且つ両太ももからの圧縮力に耐えるようにこの両側部を高強度に形成しなければならない。このような構成では、万一横漏れが生じた場合、前述の下記特許文献１と同様に鼠径部に体液が滞留するおそれがあるとともに、仮に生理用ナプキンの両側部が鼠径部に入り込んで、前記滞留した体液を吸収したとしても、両側部の厚みが厚く且つ高強度に形成されているため、装着時の違和感や鼠径部の擦れやかぶれが生じていた。
【０００８】
さらに、上記特許文献３記載の使い捨ておむつでは、吸収体の両側部が起立した所定幅の部分は、着用者の肌に面接触するようになっているため、この面接触が解除されると比較的容易に体液の横漏れが生じ、前述の通り体液が鼠径部に滞留するおそれがあった。また、股下部における吸収性コアが中央コアとその両側に配された側部コアとから構成され、中央コアと側部コアとの間に、屈曲補助部として機能する隙間が形成されるようになっているため、側部コアに吸収された体液は、中央コアに速やかに移行されにくく、側部コアの吸収性能に問題があった。さらに、吸収性本体の両側部が一時的に鼠径部に入り込んだとしても、この両側部には側部弾性部材が配設されているため、元の所定幅に復元しようとする復元力が作用し、鼠径部に入り込んだ状態を維持できないとともに、たとえ鼠径部に入り込んだ状態が維持されたとしても、側部弾性部材の復元力を常時受けるため装着中の違和感や鼠径部の擦れやかぶれを生じる原因となるおそれがあった。
【０００９】
そこで本発明の主たる課題は、吸収体が鼠径部にフィットすることにより、体液の横漏れが確実に防止でき、装着中の違和感や鼠径部の擦れやかぶれを起こさずに鼠径部にフィットした状態を維持できる吸収性物品を提供することにある。
【課題を解決するための手段】
【００１０】
前記課題を解決するために請求項１に係る本発明として、透液性表面シートと不透液性裏面シートとの間に吸収体が介在された吸収性物品において、
前記吸収体は、下層吸収体と上層吸収体とから構成され、少なくとも排血口対応位置及びその近傍において、前記下層吸収体は、展開状態の横断面形状が略水平な底面と、底面の両側縁部から斜め外方に立ち上がる側面と、該側面の頂部から上面中央に形成された最薄部に向かう傾斜面によって略Ｖ字状の谷溝を有する断面形状を成し、前記上層吸収体は、展開状態の横断面形状が前記下層吸収体の上面に形成された略Ｖ字状の谷溝を埋めるように略逆三角形状の断面形状を成し、
前記上層吸収体の表面より前記下層吸収体の両側部に形成された頂部の方が高く形成され、身体への装着状態時に前記頂部が鼠径部を埋めるように身体に当接することを特徴とする吸収性物品が提供される。
【００１１】
上記請求項１記載の発明では、吸収体が、下層吸収体と上層吸収体とから構成され、少なくとも排血口対応位置及びその近傍において、前記下層吸収体は、展開状態の横断面形状が略水平な底面と、底面の両側縁部から斜め外方に立ち上がる側面と、この側面の頂部から上面中央に形成された最薄部に向かう傾斜面によって上面に略Ｖ字状の谷溝を有する断面形状を成し、前記上層吸収体は、展開状態の横断面形状が前記下層吸収体の上面に形成された略Ｖ字状の谷溝を埋めるように略逆三角形状の断面形状を成し、前記上層吸収体の表面より前記下層吸収体の両側部に形成された頂部の方が高く形成され、身体への装着状態時に前記頂部が鼠径部を埋めるように身体に当接するようにしている。
【００１２】
従って、下層吸収体の頂部が太ももの内側付け根部分に形成される鼠径部に入り込み易くなり、吸収体が鼠径部にフィットして、この鼠径部にまで達した体液を素早く吸収することによって体液の横漏れが確実に防止できるようになる。
【００１３】
また、鼠径部に入り込む下層吸収体は、鼠径部の形状にあった三角形状を成しているため、装着中の違和感や鼠径部のかぶれを起こさずに、鼠径部にフィットした状態を維持できるようになっている。
【００１４】
請求項２に係る本発明として、前記下層吸収体は、少なくとも排血口対応位置及びその近傍において、前記谷溝の最薄部に、長手方向に沿ってエンボスを付与してある請求項１記載の吸収性物品が提供される。
【００１５】
上記請求項２記載の発明では、少なくとも排血口対応位置及びその近傍において、前記谷溝の最薄部に、長手方向に沿ってエンボスが形成されているため、断面形状を保持することが可能になるとともに、このエンボスを基端として、両側部の山形部分（頂部）が内側に立ち上がりやすくなり、鼠径部の動きに対して追従性を良好にすることができる。
【００１６】
請求項３に係る本発明として、前記下層吸収体は、少なくとも排血口対応位置及びその近傍であって、上層吸収体側縁よりも外側の前記頂部を含む吸収体部分において、高吸水性樹脂が他の領域よりも含有量が多くなるように偏在して混入されている請求項１〜２いずれかに記載の吸収性物品が提供される。
【００１７】
上記請求項３記載の発明は、少なくとも排血口対応領域及びその近傍において、下層吸収体の鼠径部に入り込む吸収体部分の高吸水性樹脂を他の領域よりも含有量が多くなるように偏在して混入するようにしたものである。前記頂部が山形状のシャープな形状とされているため、体液を吸収し湿潤状態になった際、吸収体の繊維がへたり、形状を維持しづらくなるが、高吸水性樹脂を多く混入することにより、体液の多くを高吸水性樹脂に吸収させることにより繊維のヘタリを防止することが可能となる。
【００１８】
請求項４に係る本発明として、前記下層吸収体の両側面及び底面の外側を覆うように、防水シートが配設されている請求項１〜３いずれかに記載の吸収性物品が提供される。
【００１９】
請求項５に係る本発明として、前記下層吸収体の両側面を覆うように、先端部が外側に向けて延在する立体ギャザーが配設されている請求項１〜４いずれかに記載の吸収性物品が提供される。
【００２０】
上記請求項４，５記載の発明は、頂部に吸収した体液が側面から滲出し、太もも側に漏れ出る問題を解決するためになされたものであり、上記請求項４記載の発明では、前記下層吸収体の両側面及び底面の外側を覆うように防水シートを配設したものであり、上記請求項５記載の発明では、下層吸収体の両側面を覆うように先端部が外側に向けて延在する立体ギャザーを配設することにより、鼠径部に入り込んだ吸収体から体液が太もも側に滲出しないようにしている。
【発明の効果】
【００２１】
以上詳説のとおり本発明によれば、吸収体が鼠径部にフィットすることにより、体液の横漏れが確実に防止でき、装着中の違和感や鼠径部のかぶれを起こさずに鼠径部にフィットした状態を維持できるようになる。
【発明を実施するための最良の形態】
【００２２】
以下、本発明の実施の形態について図面を参照しながら詳述する。図１は本発明の第１形態例に係る生理用ナプキン１の一部破断展開図であり、図２は図１のII−II線矢視図である。
【００２３】
前記生理用ナプキン１は、ポリエチレンシートなどからなる不透液性裏面シート２と、経血やおりものなどを速やかに透過させる透液性表面シート３と、これら両シート２，３間に介装された綿状パルプまたは合成パルプなどからなる吸収体４と、この吸収体４の形状保持および拡散性向上のために前記吸収体４を囲繞するクレープ紙５と、表面側両側部にそれぞれ長手方向に沿って形成されたサイド不織布７、７とから主に構成されている。前記吸収体４の周囲において、その上下端縁部では、前記不透液性裏面シート２と透液性表面シート３との外縁部がホットメルトなどの接着剤やヒートシール等の接着手段によって接合され、またその両側縁部では吸収体４よりも側方に延出している前記不透液性裏面シート２と、前記サイド不織布７とがホットメルトなどの接着剤やヒートシール等の接着手段によって接合され、これら不透液性裏面シート２とサイド不織布７とによる積層シート部分によって側方に突出するウイング状フラップＷ、Ｗが形成されるとともに、これよりも臀部側に位置する部分にヒップホールド用フラップＷＢ、ＷＢが形成されている。
【００２４】
以下、さらに前記生理用ナプキン１の構造について詳述すると、
前記不透液性裏面シート２は、ポリエチレン等の少なくとも遮水性を有するシート材が用いられるが、近年はムレ防止の観点から透湿性を有するものが用いられる傾向にある。この遮水・透湿性シート材としては、ポリエチレンやポリプロピレン等のオレフィン系樹脂中に無機充填剤を溶融混練してシートを成形した後、一軸または二軸方向に延伸することにより得られる微多孔性シートが好適に用いられる。
【００２５】
次いで、前記透液性表面シート３は、有孔または無孔の不織布や多孔性プラスチックシートなどが好適に用いられる。不織布を構成する素材繊維としては、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。前記透液性表面シート３に多数の透孔を形成した場合には、経血やおりもの等（以下、まとめて体液という。）が速やかに吸収されるようになり、ドライタッチ性に優れたものとなる。
【００２６】
前記吸収体４は、図２に示されるように、下層吸収体４１と上層吸収体４２とから構成され、少なくとも排血口対応位置及びその近傍において、前記下層吸収体４１は、略水平な底面４３と、底面の両側縁部から斜め外方に立ち上がる側面４４，４４と、該側面の頂部４５、４５から上面中央に形成された最薄部４６に向かう傾斜面４７、４７によって上面に略Ｖ字状の谷溝４８を有する断面形状を成し、前記上層吸収体４２は前記下層吸収体４１の上面に形成された略Ｖ字状の谷溝４８を埋めるように略逆三角形状の断面形状を成している。そして、前記上層吸収体４２の表面より前記下層吸収体４１の両側部に形成された頂部４５，４５の方が高く形成されるとともに、前記頂部４５が鼠径部を埋めるように身体に当接するようになっている。ここで、前記底面４３から頂部４５までの高さｈは、２０mm以上、好ましくは２５mm以上であることが望ましい。また、前記上層吸収体４２の表面と頂部４５との高低差は５mm以上、好ましくは１０mm以上であることが望ましい。
【００２７】
なお、臀部に対応する領域では、下層吸収体４１に両側端が表面側に突出した頂部４５，４５が形成されたままであると、吸収体４が臀部から離間して、体液の伝い漏れの原因となるため、この領域の頂部４５，４５は、頂部４５に切込みを加えた上で、エンボスなどによって上層不織布４２の形成高さまで圧縮しておくのが望ましい。
【００２８】
前記上層吸収体４２の表面の排血口対応領域には、図示しないが、排血口との密着性を高めるため、幅方向中央部に、ナプキン長手方向に細長く区画される領域に、使用面側に高い吸収体の中高部を形成するとともに、この中高部の周縁に沿ってその近傍外側部位置には周方向に閉合するエンボスを付与するようにしてもよい。
【００２９】
このように、排血口対応領域及びその近傍に、前記頂部４５，４５が形成された吸収体４とすることにより、前記頂部４５，４５が、太ももの内側付け根部分に形成される鼠径部Ｓ、Ｓ（図３参照）に入り込み、排血口対応領域にフィットする吸収体４部分を超えて鼠径部Ｓ、Ｓにまで達した体液を吸収でき、体液の横漏れが確実に防止されるようになる。
【００３０】
前記吸収体４は、たとえばパルプ中に高吸水性樹脂を混入したもの、或いはパルプ中に化学繊維を混入させるとともに、粒状の高吸水性樹脂を混入したものが使用される。前記吸収体４は、図示のように、形状保持、および経血等を速やかに拡散させるとともに、一旦吸収した経血等の逆戻りを防止するためにクレープ紙５によって囲繞するのが望ましい。前記パルプとしては、木材から得られる化学パルプ、溶融パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。
【００３１】
前記高吸水性樹脂としては、たとえばポリアクリル酸塩架橋物、自己架橋したポリアクリル酸塩、アクリル酸エステル−酢酸ビニル共重合体架橋物のケン化物、イソブチレン・無水マレイン酸共重合体架橋物、ポリスルホン酸塩架橋物や、ポリエチレンオキシド、ポリアクリルアミドなどの水膨潤性高吸水性樹脂を部分架橋したもの等が挙げられる。これらの内、吸水量、吸水速度に優れるアクリル酸またはアクリル酸塩系のものが好適である。前記吸水性能を有する高吸水性樹脂は製造プロセスにおいて、架橋密度および架橋密度勾配を調整することにより吸水力と吸水速度の調整が可能である。前記高吸水性樹脂の含有率は１０〜６０％とするのが望ましい。高吸水性樹脂含有率が１０％未満の場合には、十分な吸収能を与えることができず、６０％を超える場合にはパルプ繊維間の絡み合いが無くなり、シート強度が低下し破れや割れ等が発生し易くなる。
【００３２】
一方、本生理用ナプキン１の表面がわ両側部にはそれぞれ、両側端から前記頂部４５を超えて前記谷溝４８の所定範囲にかけて、長手方向に沿ってかつナプキン１のほぼ全長に亘ってサイド不織布７、７が設けられ、このサイド不織布７、７の一部が側方に延在されるとともに、同じく側方に延在された不透液性裏面シート２の一部とによりウイング状フラップＷ、Ｗが形成されるとともに、これよりも臀部側に位置する部分にヒップホールド用フラップＷＢ、ＷＢが形成されている。
【００３３】
前記サイド不織布７としては、鼠径部Ｓに入り込んだ吸収体４の吸収性を阻害しないように、親水処理不織布を使用することが望ましい。この親水処理を施した不織布としては、たとえば、合成繊維の製造過程で親水基を持つ化合物、例えばポリエチレングリコールの酸化生成物などを共存させて重合させる方法や、塩化第２スズのような金属塩で処理し、表面を部分溶解し多孔性とし金属の水酸化物を沈着させる方法等により合成繊維を膨潤または多孔性とし、毛細管現象を応用して親水性を与えた親水処理不織布を用いることができる。
【００３４】
前記透液性表面シート３と不透液性裏面シート２との間に吸収体４が介在された本体部分の非肌当接面には、下着に対する固定のために適宜の塗布パターンによって複数条の本体ズレ止め粘着剤層９，９…（後段で詳述）が形成されている。また、図１に示されるように、前記ウイング状フラップＷ、Ｗの不透液性裏面シート２側の面には、ウイングズレ止め粘着剤層１０、１０が形成されるとともに、前記ヒップホールド用フラップＷＢ、ＷＢの不透液性裏面シート２側の面には、ヒップズレ止め粘着剤層１１、１１が形成されている。
【００３５】
ところで、上記生理用ナプキン１の基本構造に対して、以下に述べるような種々の形態を付加又は変更することが可能である。
【００３６】
すなわち、前記下層吸収体４１の頂部４５，４５は、山形状のシャープな形状とされているため、体液を吸収し湿潤状態になった際に吸収体の繊維がへたり、断面形状を維持しづらくなるおそれがある。このため、頂部４５，４５には湿潤によるヘタリに対する抵抗性を持たせる必要がある。そこで本発明では、図４(A)に示されるように、少なくとも排血口対応領域及びその近傍であって、上層吸収体側縁よりも外側の前記頂部を含む吸収体部分において、高吸水性樹脂２０，２０…を他の領域よりも含有量が多くなるように偏在して混入することにより、体液の多くを高吸水性樹脂に吸収させることにより繊維のヘタリを防止することが可能となる。なお、同図に模式的に示されるように、前記高吸水性樹脂２０は、頂部４５，４５に散布される他、下層吸収体４１の高さ方向に対し、パルプ層と交互に複数段に亘って高吸水性樹脂層が形成され、分散配置されるのが望ましい。
【００３７】
さらに加えて、前記高吸水性樹脂２０は、図４(B)に示されるように、上層吸収体４２の底部にも多く散布するのが望ましい。これにより、上層吸収体４２の吸収性能が向上するので好ましい。
【００３８】
一方、図５に示されるように、下層吸収体４１の断面形状を保持するとともに、前記頂部４５，４５が鼠径部Ｓ、Ｓに入り込みやすくするため、排血口対応領域及びその近傍の谷溝４８の底部４６には、長手方向に沿って所定深さで線状のエンボス４９を形成することが好ましい。谷溝４８の最薄部４６にエンボス４９を付与することにより、断面形状を保持することが可能になるとともに、エンボス４９を基端として、両側部の山形部分（頂部４５）が内側に立ち上がりやすくなり、鼠径部Ｓ、Ｓの動きに対して追従性がよくなる。
【００３９】
一方、上記基本構造では、サイド不織布７を親水性不織布で構成していたため、鼠径部Ｓで吸収した体液が下層吸収体４１の側面４４から滲出し、太もも側に漏れ出るおそれがある。そこで、この側面４４からの滲出を防止するため、図６に示されるように、下層吸収体４１の両側面４４，４４及び底面４３の外側、図示例では両側面４４，４４においてはクレープ紙５と透液性表面シート３との間、底面４３においてはクレープ紙５と不透液性裏面シート２との間に、撥水性または不透液性を示す例えばポリエチレンなどからなる防水シート２１を配設することが望ましい。これにより鼠径部Ｓでの吸収性を確保した上で、吸収した体液の吸収体側面４４からの滲出が防止できる。
【００４０】
また、これとは別に、吸収した体液の吸収体側面からの滲出を防止するため、図７に示されるように、前記下層吸収体４１の両側面４４，４４に、少なくとも排血口対応領域及びその近傍において、先端部が外側に向けて延在する立体ギャザーＢＳを、前記サイド不織布７によって形成する手段を採ることもできる。前記立体ギャザーＢＳは、サイド不織布７の内方側部分がほぼ二重に折り返され、この二重シート内部に、その高さ方向中間部に両側または長手方向の適宜の位置が固定された糸状弾性部材２３が配設されるとともに、前記糸状弾性伸縮部材２３の外側部位に複数本の、図示例では２本の糸状弾性伸縮部材２４、２４が両側または長手方向の適宜の位置が固定された状態で配設されている。
【００４１】
ここで、前記立体ギャザー２２を形成するサイド不織布７としては、上記基本構造の生理用ナプキン１においては、両側端から頂部４５を超えて谷溝４８の所定範囲にかけて配設されていたため、鼠径部Ｓに入り込んだ吸収体４の吸収性を阻害しないように親水処理不織布を使用しているが、本形態では、鼠径部Ｓに入り込んだ吸収体４に吸収された体液が浸透するのを防止する、シリコン系、パラフィン系、アルキルクロミッククロリド系撥水剤などをコーティングした撥水処理不織布を用いることが望ましい。従来の生理用ナプキンでは、立体ギャザーを起立させて股下部に密着させることによって体液の横漏れを防止する機構であったため、立体ギャザーの高さをある程度高くしなければならなかったが、本発明に係る生理用ナプキン１では、鼠径部Ｓに吸収体４が入り込むことによって既に横漏れが防止されており、立体ギャザー２２は太ももの付け根部分に密着することによって鼠径部Ｓに入り込んだ吸収体４１に吸収された体液が太もも側に滲出しないようにするためのものであるから、従来の生理用ナプキンのように高さを高くする必要がなく、下層吸収体４１の頂部４５とほぼ同等の高さで形成されていればよい。
【００４２】
図８、９に示される形態例は、吸収体４をより身体にフィットさせるため、吸収体４が介在された本体部分の非肌当接面に形成された本体ズレ止め粘着剤層９、９…の塗布パターンを最適化したものである。図８は、第１の塗布パターンを示したものである。臀部に形成される下層吸収体４１の頂部４５は、前述の通り、吸収体４が臀部に沿いやすくするため、圧縮して上層吸収体４２の高さまで潰されている。第１の塗布パターンでは、臀部に形成される下層吸収体４１の頂部４５が前記の圧縮された状態を維持して、吸収体４全体が臀部に沿いやすくなるようにするため、臀部における吸収体４１の頂部４５，４５に対応する位置にズレ止め粘着剤層９ａ、９ａを設けるようにしている。
【００４３】
第２の塗布パターンでは、図９に示されるように、吸収体４が臀部の溝に沿うように、ナプキン１の後方中央部に、長手方向に沿って後側が幅広とされたズレ止め粘着剤層９ｂを設けるようにしている。
【００４４】
一方、図１０に示されるように、透液性表面シート３と吸収体４との間に親水性セカンドシート２５を配設することによって、体液が吸収体４に移行し易くなるので好ましい。ここで、前記親水性セカンドシート２５は、同図に示されるように、少なくとも上層吸収体４２の表面を覆うように配設する。これによって、排血口部での吸収スピードが向上するとともに、臀部の溝を伝った体液をすばやく吸収することができるようになる。前記親水性セカンドシート２５としては、レーヨンやキュプラ等の再生繊維、綿等の天然繊維を用いることにより素材自体に親水性を有するものを用いるか、ポリエチレンまたはポリプロピレン等のオレフィン系、ポリエステル系、ポリアミド系等の合成繊維を親水化剤によって表面処理し親水性を付与した繊維を用いることができる。この不織布も前記透液性表面シート３と同様に、嵩高性を与えるためにエアスルー法又はサーマルボンド法によって製造された不織布を用いるのが望ましく、透液性表面シート並の伸度を有するために、エアスルー不織布、捲縮繊維を用いた不織布、スチレン系やウレタン系に代表されるエラストマーからなる伸縮性不織布などを用いるのが好適とされる。
【００４５】
次に、上記生理用ナプキン１の製造工程のうち、吸収体４の製造方法について詳述する。
【００４６】
前記下層不織布４１の製造に際しては、図１１に示されるように、下層不織布４１を裏返した形状に対応した下層不織布用積繊型枠３０を用意する。そして、排血口対応領域及びその近傍であって下層不織布４１の頂部４５に対応する部分の下層不織布用積繊型枠３０内に、先ず前記高吸水性樹脂２０を散布しておき、その上からパルプを積繊する。その後、パルプと高吸水性樹脂を交互に層状に積層する。このように積層することにより、高吸水性樹脂２０が適度に分散して吸収体の形状が保持されやすくなるとともに、高吸水性樹脂２０の偏りを防止することができる。
【００４７】
一方、上層不織布４２の製造に際しては、図１２に示されるように、上層不織布４２の形状に対応した上層不織布用積繊型枠３１を用意する。そして、排血口対応領域及びその近傍であって、谷溝４８の底部に高吸水性樹脂２０を散布しておき、その上から所定の形成高さまでパルプを積繊する。
【００４８】
上述のようにして製造された下層不織布４１に上層不織布４２を積層した後、後側の臀部に対応する部位では、頂部４５、４５にカッターで切込みを加えた上で、エンボスを掛けて上層不織布４２の形成高さまで圧縮するのが望ましい。
【図面の簡単な説明】
【００４９】
【図１】本発明に係る生理用ナプキン１の展開図である。
【図２】図１のII−II線矢視図である。
【図３】人体の鼠径部Ｓ付近を示す正面図である。
【図４】(A)、(B)は、高吸水性樹脂２０の散布状態を示す吸収体４の横断面図である。
【図５】下層吸収体４１の最薄部４６に形成されるエンボス４９を示す、(A)は生理用ナプキン１の展開図、(B)は吸収体４の横断面図（(A)のＢ−Ｂ線矢視図）である。
【図６】防水シート２１の配設形態を示す図１のII−II線矢視相当図である。
【図７】立体ギャザーＢＳの配設形態を示す図１のII−II線矢視相当図である。
【図８】本体ズレ止め粘着剤層９の第１の塗布パターンを示す生理用ナプキン１の裏面図である。
【図９】本体ズレ止め粘着剤層９の第２の塗布パターンを示す生理用ナプキン１の裏面図である。
【図１０】セカンドシート２５の配設形態を示す生理用ナプキン１の展開図である。
【図１１】下層吸収体４１の製造方法を示す下層吸収体用型枠３０の横断面図である。
【図１２】上層吸収体４２の製造方法を示す上層吸収体用型枠３１の横断面図である。
【符号の説明】
【００５０】
１…生理用ナプキン、２…不透液性裏面シート、３…透液性表面シート、４…吸収体、５…クレープ紙、７…サイド不織布、９…本体ズレ止め粘着剤層、１０…ウイングズレ止め粘着剤層、１１…ヒップズレ止め粘着剤層、４１…下層吸収体、４２…上層吸収体、４３…底面、４４…側面、４５…頂部、４６…最薄部、４７…傾斜面、４８…谷溝、４９…エンボス、ＢＳ…立体ギャザー、Ｓ…鼠径部、Ｗ…ウイング状フラップ、ＷＢ…ヒップホールド用フラップ
【図１】
0005007187.tif 000002
【図２】
0005007187.tif 000003
【図３】
0005007187.tif 000004
【図４】
0005007187.tif 000005
【図５】
0005007187.tif 000006
【図６】
0005007187.tif 000007
【図７】
0005007187.tif 000008
【図８】
0005007187.tif 000009
【図９】
0005007187.tif 000010
【図１０】
0005007187.tif 000011
【図１１】
0005007187.tif 000012
【図１２】
0005007187.tif 000013